(57)【要約】【課題】トナーが転写された記録媒体を像保持体から剥離する剥離部材から発生するトナーのクラウドが飛び散るのを防止することができる剥離装置及び画像形成装置を提供する。【解決手段】剥離装置６８は、像保持体４６から未定着現像剤が転写された記録媒体を前記像保持体４６から剥離する剥離部材７０であって、先端が前記像保持体４６に接触する剥離部材７０と、前記剥離部材７０の少なくとも前記剥離部材７０の先端を含み、且つ少なくとも前記剥離部材７０の反像保持体側の面を、前記剥離部材７０とは間に空隙を挟んで被覆する被覆部材７２と、を有する。【選択図】図４
2020154203.tif 000002
【特許請求の範囲】
【請求項１】
像保持体から未定着現像剤が転写された記録媒体を前記像保持体から剥離する剥離部材であって、先端が前記像保持体に接触する剥離部材と、
前記剥離部材の少なくとも前記剥離部材の先端を含み、且つ少なくとも前記剥離部材の反像保持体側の面を、前記剥離部材とは間に空隙を挟んで被覆する被覆部材と、
を有する剥離装置。
【請求項２】
前記被覆部材は、記録媒体が搬送される搬送方向の下流側へ移動自在に支持されている請求項１記載の剥離装置。
【請求項３】
記録媒体が搬送される搬送方向の下流側への前記被覆部材の移動を予め定められた距離までに制限する制限手段をさらに有する請求項２記載の剥離装置。
【請求項４】
前記制限手段は、前記被覆部材の反先端側に突出して形成された制限用突起を含む請求項３記載の剥離装置。
【請求項５】
前記被覆部材は、前記剥離部材とは別に支持されている請求項１記載の剥離装置。
【請求項６】
前記被覆部材は、前記剥離部材と同じ支持軸に支持されている請求項１記載の剥離装置。
【請求項７】
前記被覆部材は、前記被覆部材の先端が記録媒体の搬送方向に反っている請求項１から６いずれか記載の剥離装置。
【請求項８】
前記被覆部材は、前記被覆部材の先端が前記剥離部材の先端よりも記録媒体の搬送側へ延びている請求項１から７いずれか記載の剥離装置。
【請求項９】
前記被覆部材は、記録媒体の搬送路と向き合う面に記録媒体の搬送方向に沿って突出する突出部を有する請求項１から８いずれか記載の剥離装置。
【請求項１０】
前記被覆部材は、記録媒体の搬送方向と直交する方向の端部よりも中央部が記録媒体の搬送路側に突出している請求項１から８いずれか記載の剥離装置。
【請求項１１】
前記被覆部材は、記録媒体が当たった場合に記録媒体が当たる方向と反対側に逃げる逃げ部が形成されている請求項１から８いずれか記載の剥離装置。
【請求項１２】
像保持体と、
前記像保持体から未定着現像剤が転写された記録媒体を前記像保持体から剥離する剥離装置と、を有し、
前記剥離装置は、
先端が前記像保持体に接触する剥離部材と、
前記剥離部材の少なくとも前記剥離部材の先端を含み、且つ少なくとも前記剥離部材の反保持体側の面を、前記剥離部材とは間に空隙を挟んで被覆する被覆部材と、
を有する画像形成装置。
【請求項１３】
前記剥離装置の後流側に設けられ、前記像保持体に残存するトナーを清掃する清掃装置をさらに有する請求項１２記載の画像形成装置。
【発明の詳細な説明】
【技術分野】
【０００１】
本発明は、剥離装置及び画像形成装置に関する。
【背景技術】
【０００２】
特許文献１は、感光体ドラム表面から記録媒体を剥離して搬送方向に誘導するための剥離手段を備えた画像形成装置であって、上記剥離手段は、感光体ドラムと接触する剥離爪と、その両脇に配置され、感光体ドラムに対して非接触の補助爪とからなり、この補助爪は、上記剥離爪によって剥離された記録媒体を該剥離爪の背部に接触させないよう搬送を案内することを特徴とする画像形成装置を開示する。
【先行技術文献】
【特許文献】
【０００３】
【特許文献１】特開２００８−１５８１３７号公報
【発明の概要】
【発明が解決しようとする課題】
【０００４】
本発明は、トナーが転写された記録媒体を像保持体から剥離する剥離部材から発生するトナーのクラウドが飛び散るのを防止することができる剥離装置及び画像形成装置を提供することを目的としている。
【課題を解決するための手段】
【０００５】
請求項１に係る本発明は、像保持体から未定着現像剤が転写された記録媒体を前記像保持体から剥離する剥離部材であって、先端が前記像保持体に接触する剥離部材と、前記剥離部材の少なくとも前記剥離部材の先端を含み、且つ少なくとも前記剥離部材の反保持体側の面を、前記剥離部材とは間に空隙を挟んで被覆する被覆部材と、を有する剥離装置である。
【０００６】
請求項２に係る本発明は、前記被覆部材は、記録媒体が搬送される搬送方向の下流側へ移動自在に支持されている請求項１記載の剥離装置である。
【０００７】
請求項３に係る本発明は、記録媒体が搬送される搬送方向の下流側への前記被覆部材の移動を予め定められた距離までに制限する制限手段をさらに有する請求項２記載の剥離装置である。
【０００８】
請求項４に係る本発明は、前記被覆部材の反先端側に突出して形成された制限用突起を含む請求項３記載の剥離装置である。
【０００９】
請求項５に係る本発明は、前記被覆部材は、前記剥離部材とは別に支持されている請求項１記載の剥離装置ある。
【００１０】
請求項６に係る本発明は、前記被覆部材は、前記剥離部材と同じ支持軸に支持されている請求項１記載の剥離装置である。
【００１１】
請求項７に係る本発明は、前記被覆部材は、前記被覆部材の先端が記録媒体の搬送方向に反っている請求項１から６いずれか記載の剥離装置である。
【００１２】
請求項８に係る本発明は、前記被覆部材は、前記被覆部材の先端が前記剥離部材の先端よりも記録媒体の搬送側へ延びている請求項１から７いずれか記載の剥離装置である。
【００１３】
請求項９に係る本発明は、前記被覆部材は、記録媒体の搬送路と向き合う面に記録媒体の搬送方向に沿って突出する突出部を有する請求項１から８いずれか記載の剥離装置である。
【００１４】
請求項１０に係る本発明は、前記被覆部材は、記録媒体の搬送方向と直交する方向の端部よりも中央部が記録媒体の搬送路側に突出している請求項１から８いずれか記載の剥離装置である。
【００１５】
請求項１１に係る本発明は、前記被覆部材は、記録媒体が当たった場合に記録媒体が当たる方向と反対側に逃げる逃げ部が形成されている請求項１から８いずれか記載の剥離装置である。
【００１６】
請求項１２に係る本発明は、像保持体と、前記像保持体から未定着現像剤が転写された記録媒体を前記像保持体から剥離する剥離装置と、を有し、前記剥離装置は、先端が前記像保持体に接触する剥離部材と、前記剥離部材の少なくとも前記剥離部材の先端を含み、且つ少なくとも前記剥離部材の反像保持体側の面を、前記剥離部材とは間に空隙を挟んで被覆する被覆部材と、を有する画像形成装置である。
【００１７】
請求項１３に係る本発明は、前記剥離装置の後流側に設けられ、前記像保持体に残存するトナーを清掃する清掃装置をさらに有する請求項１２記載の画像形成装置である。
【発明の効果】
【００１８】
請求項１又は１２に係る本発明によれば、トナーが転写された記録媒体を像保持体から剥離する剥離部材から発生するトナーのクラウドが飛び散るのを防止することができる。
【００１９】
請求項２に係る本発明によれば、請求項１に係る発明の効果に加えて、記録媒体の先端が隔離部材から剥離部材の後流側へ侵入するのを防止することができる。
【００２０】
請求項３に係る本発明によれば、請求項２に係る本発明の効果に加えて、記録媒体の折れた部分が剥離部材から剥離部材の後流側へ侵入するのを防止することができる。
【００２１】
請求項４に係る本発明によれば、請求項３に係る本発明の効果に加えて、反先端側においてもトナーのクラウドが飛び散るのを防止することができる。
【００２２】
請求項５に係る本発明によれば、請求項１に係る発明の効果に加えて、剥離部材とは別に被覆部材を動かすことができる。
【００２３】
請求項６に係る本発明によれば、請求項１に係る本発明の効果に加えて、被覆部材を別の部材に固定した場合と比較して、被覆部材の交差を少なくすることができる。
【００２４】
請求項７に係る本発明によれば、請求項１に係る本発明の効果に加えて、記録媒体の先端を剥離部材側から逃がすことができる。
【００２５】
請求項８に係る本発明によれば、請求項１から７いずれかの発明の効果に加えて、記録媒体の先端が剥離部材に当たる前に被覆部材に当たるようにすることができる。
【００２６】
請求項９又は１０に係る本発明によれば、請求項１から８いずれか記載の発明の効果に加えて、剥離部材の記録媒体側を平面とする場合と比較して、剥離部材の記録媒体と接触する面積を少なくすることができる。
【００２７】
請求項１１に係る本発明によれば、剥離部材に逃げ部が形成されていない場合と比較して、剥離部材に記録媒体が接触した場合の圧力を緩和することができる。
【００２８】
請求項１３に係る本発明によれば、請求項１２に係る本発明の効果に加えて、記録媒体が清掃部材まで侵入するのを防止することができる。
【図面の簡単な説明】
【００２９】
【図１】本発明の実施形態に係る画像形成装置を示す概略図である。
【図２】本発明の第一実施形態に係る剥離装置及びその周辺を示す分解斜視図である。
【図３】本発明の第一実施形態に係る剥離装置及びその周辺を示す平面図である。
【図４】本発明の第一実施形態に係る剥離装置及びその周辺を示し、図３のＡ−Ａ線断面図である。
【図５】本発明の第一実施形態に係る剥離装置を示し、（ａ）は断面図、（ｂ）は正面図、（ｃ）は側面図である。
【図６】本発明の第一実施形態に係る剥離装置と支持ロールとの関係を示す側面図である。
【図７】本発明の第一実施形態において、仕様内の薄紙が搬送された場合の用紙の搬送状態の遷移を示す遷移図である。
【図８】本発明の第一実施形態において、仕様外の薄紙が搬送された場合の用紙の搬送状態の遷移を示す遷移図である。
【図９】本発明の第二実施形態に係る剥離装置を示す断面図である。
【図１０】本発明の第二実施形態において、仕様外の薄紙が搬送された場合の用紙の搬送状態の遷移を示す遷移図である。
【図１１】本発明の第二実施形態において、剥離装置及び支持部材を示す分解図である。
【図１２】本発明の第三実施形態において、剥離装置及びその周辺を示す斜視図である。
【図１３】本発明の第四実施形態において、剥離装置及びその周辺を示す斜視図である。
【図１４】本発明の第四実施形態において、剥離装置の第一面の断面図である。
【図１５】本発明の第五実施形態において、剥離装置及びその周辺を示す斜視図である。
【発明を実施するための形態】
【００３０】
次に、本発明の実施の形態について図面を参照して詳細に説明する。
図１には、本発明の実施形態に係る画像形成装置１０が示されている。
【００３１】
画像形成装置１０は、画像形成装置本体１２を有し、この画像形成装置本体１２の内部に、記録媒体としての用紙を供給する用紙供給装置１４と、用紙に転写する画像を形成する画像形成部１６と、定着装置１８とが搭載されている。また、画像形成装置１０は、画像形成装置本体１２の上部に用紙が排出される排出部２０を有し、用紙供給装置１４から排出部２０まで用紙を搬送する搬送路２２が設けられている。
【００３２】
用紙供給装置１４は、用紙を積層した状態で収納する用紙収納部２４と、この用紙収納部２４に収納された最上位の用紙を送り出す送り出しロール２６を有する。送り出しロール２６により送り出された用紙は、搬送ロール２８により搬送路２２に搬送される。
【００３３】
画像形成部１６は、例えば、イエロー（Ｙ）、マゼンタ（Ｍ）、シアン（Ｃ）、黒（
Ｋ）の４色に対応する画像形成ユニット３０と、光書込み装置３２と、中間転写装置３４とにより構成されている。
【００３４】
画像形成ユニット３０は、それぞれ交換部材として用いられ、画像形成装置本体１２に対して着脱自在に設けられており、例えば、画像形成装置本体１２の後側（図１における右側）から順に、Ｙ、Ｍ、Ｃ、Ｋの順に並べられている。
【００３５】
画像形成ユニット３０は、例えばカラー画像を形成する電子写真方式のものである。画像形成ユニット３０は、それぞれユニット本体３６を備えている。このユニット本体３６内には、現像剤像を保持するドラム形状の像保持体３８、この像保持体３８を一様に帯電する帯電ロール４０、像保持体３８に書き込まれた潜像をトナーで現像する現像装置４２、及び像保持体３８に残留する廃現像剤を例えば掻き取って清掃する清掃装置４４が設けられている。
【００３６】
現像装置４２は、それぞれが収納するＹ、Ｍ、Ｃ、Ｋのトナーを用いて、対応する像保持体３８に形成された潜像を現像する。
【００３７】
また、光書込み装置３２は潜像形成装置として用いられ、例えば走査型のレーザ露光装置からなり、像保持体３８のそれぞれの表面に潜像を形成する。なお、光書込み装置３２は、他の実施例としてＬＥＤや面発光レーザ等を用いることができる。
【００３８】
中間転写装置３４は、中間転写ベルト４６、一次転写ロール４８、二次転写ロール５０及び清掃装置５２を有する。
【００３９】
中間転写ベルト４６は、無端状のベルト形状であり、４つの支持ロール５４ａ，５４ｂ，５４ｃ，５４ｄによって、図１に矢印aで示す方向に回転することができるように支持されている。また、支持ロール５４ａ，５４ｂ，５４ｃ，５４ｄのうち、図１の最も左側に配置された支持ロール５４ａは、モータ等の動力源（図示せず）に連結され、この動力源からの駆動伝達を受けて回転することで、中間転写ベルト３４が回転駆動するようになっている。
【００４０】
支持ロール５４ａは、二次転写ロール５０と中間転写ベルト４６を挟んで対向するように配置され、この二次転写ロール５０のバックアップ部材として機能し、二次転写ロール５０と支持ロール５４ａとで挟まれる部分が二次転写位置となっている。
【００４１】
一次転写ロール４８は、それぞれに対応する現像装置４２により像保持体３８の表面に形成されたトナー像を、中間転写ベルト４６に転写する。
【００４２】
また、二次転写ロール５０は、中間転写ベルト４６に転写されたＹ、Ｍ、Ｃ、Ｋのトナー像を、搬送された用紙に対して転写する。
【００４３】
清掃装置５２は、二次転写ロール５０で用紙に対して各色の現像剤像が転写された後に、中間転写ベルト４６の表面に残留する各色のトナーを掻き落とす掻き落とし部材５６を有する。そして、掻き落とし部材５６よって掻き落とされた現像剤は、清掃装置５０の本体内に回収される。
【００４４】
搬送路２２は、主搬送路２２ａ、反転搬送路２２ｂ及び手差し搬送路２２ｃにより構成されている。主搬送路２２ａは、用紙供給装置１４から供給された用紙を画像形成部１４に搬送し、画像が形成された用紙を排出部２０に排出する。この主搬送路２２ａには用紙の搬送方向上流側から順に、搬送ロール２８、レジストロール５８、二次転写ロール５０、定着装置１８及び排出ロール６０が配置されている。
【００４５】
レジストロール５８は、用紙供給装置１４側から搬送された用紙の先端部を一時的に停止させ、画像形成されるタイミングと合致するように用紙を二次転写ロール５０側に向けて送り出す。
【００４６】
定着装置１８は、加圧ロール６２と、加圧ロール６２に対向する加熱ロール６４とを有している。これら加圧部６２と加熱部６４との間を通過する用紙を加熱しながら加圧することで用紙に転写されたトナー像を用紙に定着させる。
【００４７】
排出ロール６０は、定着装置１８により現像剤が定着された用紙を、排出部２０に排出する。また、この排出ロール６０は、逆転することにより用紙を反転させ、反転搬送路２２ｂに導く。反転搬送路２２ｂは、例えば二つの反転搬送ロール６６ａ，６６ｂが配置され、この反転搬送ロール６６ａ，６６ｂにより用紙をレジストロール５８の上流側へ搬送する。また、手差し搬送路２２ｃには、手差し搬送ロール６７が設けられ、この手差し搬送ロール６７により手差しされた用紙をレジストロール５８の上流側へ搬送する。厚紙は、例えばこの手差し搬送路２２ｃから供給される。
【００４８】
支持ロール５４ａの出口側には剥離装置６８が設けられている。この剥離装置６８は、中間転写ベルト４６に巻き付く用紙を中間転写ベルト４６から剥離する。この剥離装置６８が無い場合は、仕様外の薄い用紙、例えば坪量が５４ｇ/ｍ2以下の用紙が搬送されたとき、用紙が中間転写ベルト４６上に張り付き、中間転写ベルト４６の下流に設けられた清掃装置５２に突入してしまう。清掃部材５２に用紙が突入すると、用紙を中間転写ベルト４６のベルト面に押し付け、用紙が抜きづらくなる。さらに用紙を引き抜く際に清掃装置５２の掻き落とし部材５６にダメージを与えたり、回収した現像剤が清掃装置５２から漏れて画像形成装置本体１２内を汚染してしまうおそれがある。
【００４９】
図２から図６には、剥離装置６８の第一実施形態が示されている。剥離装置６８は、剥離部材７０と被覆部材７２とを有する。
なお、この剥離装置６８は、中間転写ベルト４６の短手方向に複数設けられている。
【００５０】
剥離部材７０は、用紙搬送側の先端が尖っており、この剥離部材７０の先端が中間転写ベルト４６に接触している。また、この剥離部材７０の反用紙搬送側には支持軸７４が設けられている。この支持軸７４は、主搬送路２２ａとは直交する方向（即ち、中間転写ベルト４６の短手方向）両側に延びている。
【００５１】
被覆部材７２は、剥離部材７０の主搬送路２２側を覆う第一面７６を有する。この第一面７６は、剥離部材７０の先端を含み、剥離部材７０の中間転写ベルト４６の反対側の面を覆う。この第一面７６の先端には折り曲げ部７８が形成されている。この折り曲げ部７８は、用紙の搬送方向に反るように折り曲げられている。また、被覆部材７２の中間転写ベルト４６の短手方向両側には第二面８０が第一面７６から中間転写ベルト４６側に延びるように形成されている。また、第一面７６から後端側に続いて第三面８１が形成されている。第二面８０には挿入孔８２が形成されている。この挿入孔８２には、剥離部材７０の支持軸７４が挿入されている。また、剥離部材７０には、規制部８４が形成され、この規制部８４が被覆部材７２の第二面８０に当たり、剥離部材７０に対する被覆部材７２の図４における反時計方向の位置を規制している。
【００５２】
剥離装置６８は、支持部材８６に支持されている。さらに、この支持部材８６は、固定部材８８にねじ止め、溶接等により固定されている。固定部材８８は、中間転写ベルト４６の短手方向両端部において画像形成装置本体１２に固定されている。
【００５３】
支持部材８６は、剥離装置支持部９０が形成されている。この剥離装置支持部９０は、固定部材８８に形成された挿入溝部９２に入り込んでいる。剥離装置支持部９０には、支持溝部９４が形成されている。この支持溝部９４は、中間転写ベルト４６へ向けて斜めに形成されている。この支持溝部９４に剥離部材７０の支持軸７４が挿入されている。
【００５４】
また、剥離部材７０の後端には第一ばね受部９６が形成されている。また、支持部材８６の裏側には第二ばね受部９８が形成されている。弾性体である、ばね１００は、第一受部９６と第二ばね受部９８との間に引っ掛けられている。このばね１００は、剥離部材７０を図４の反時計方向に付勢している。このばね１００により剥離部材７０の先端が中間転写ベルト４６に圧力をもって当たるようになっている。
【００５５】
剥離部材７０と被覆部材７２とは、同じ支持軸７４を介して支持されている。図６に示すように、被覆部材７２の先端は、剥離部材７０の先端よりも用紙搬送側に支持ロール５４ａの中心とした角度αだけ突出している。角度αは、０以上であればよい。ただし、被覆部材７２の先端の突出量が多いと、後述するように用紙後端の現像剤が突出部分に付着するおそれがあるので、突出量は少ない方がよい。また、剥離部材７０と被覆部材７２の底面先端との距離ｄは、用紙の先端が入り込む程度に小さくなるように設定されている。剥離部材７０と被覆部材７２とが同じ支持軸７４に支持されているので、剥離部材７０に対する被覆部材７２の先端位置の交差は少なくてよい。
【００５６】
次に上記第一実施形態に係る剥離装置６８の作用について説明する。
図７には、坪量が例えば６４〜１０５ｇ/ｍ2程度の仕様内の薄紙が搬送された場合の用紙の搬送状態が示されている。
なお、１１２は、主搬送路２２ａに設けられ、用紙を案内する主案内部であり、１１４は、二次転写ロール５０の出口側に設けられ、用紙を案内する出口側案内部である。
【００５７】
まず図７（ａ）に示すように、用紙が中間転写ベルト４６と二次転写部材５０との間を通って用紙に現像剤が転写されると、用紙の先端が案内部１１２に当たり、定着装置１８へ案内される。
【００５８】
次に図７（ｂ）に示すように、用紙の先端が定着装置１８へ至ると共に、用紙の後端が中間転写ベルト４６と二次転写ロール５０との挟み込み部分を抜ける。
【００５９】
次に図７（ｃ）に示すように、用紙の後端が剥離装置６８側に傾き、用紙の後端が剥離装置６８の被覆部材７２の先端に当たることがある。用紙の後端が被覆部材７２に当たるが、被覆部材７２の第一面７６には現像剤の付着がないので、現像剤が飛び散るようなことはない。また、用紙の後端が被覆部材７２に当たると、被覆部材７２に用紙が当たる衝撃により、被覆部材７２及び剥離部材７０が振動する。剥離部材７０の先端には、以前に剥離した用紙からの現像剤が付着しているが、剥離部材７０が振動して剥離部材７０に付着した現像剤がクラウドとなって飛散する。しかしながら、剥離部材７０の上面は被覆部材７２の第一面７６、第二面８０及び第三面８１に囲まれており、剥離部さい７０から飛散した現像剤は、特に第一面７６の裏側により受け止められ、飛散した現像剤が用紙側へ移動するのを防止する。
【００６０】
次に図７（ｄ）に示すように、用紙の後端は被覆部材７２の先端から離れ、定着装置１８に向けて移動する。
【００６１】
図８には、仕様外の薄い用紙、例えば坪量が５４ｇ/ｍ2以下の用紙が搬送された場合の用紙の搬送状態が示されている。
【００６２】
まず図８（ａ）に示すように、用紙の先端が中間転写ベルト４６と二次転写ロール５０との挟み込み部分を抜けようとするが、用紙のこしが弱いので、用紙のこしよりも中間転写ベルト４６の付着力が上回り、用紙の先端が中間転写ベルト４６に巻き付く。
【００６３】
次に図８（ｂ）に示すように、用紙の先端が中間転写ベルト４６に巻き付くと、用紙の先端が剥離部材７０の先端に当たる。剥離部材７０は、用紙の侵入を防止すると共に、用紙の先端を被覆部材７２の折り曲げ部７８の下面に案内する。用紙の先端が被覆部材７２の折り曲げ部７８の下面に当たると、被覆部材７２は、時計方向に回転する。被覆部材７２が回転すると、被覆部材７２の回転に伴って剥離部材７０も時計方向に回転する。
【００６４】
次に図８（ｃ）に示すように、用紙の先端が折り曲げ部７８から抜ける。折り曲げ部７８は用紙搬送方向に反っているので、用紙の先端が折り曲げ部７８から抜けやすくなっている。用紙の先端が折り曲げ部７８から抜けたとしても、用紙の先端から後流側の部分が剥離部材７２に向けて折り曲がる。
【００６５】
次に図８（ｄ）に示すように、用紙の先端から後流側の部分が剥離部材７２に向けて折り曲がった状態で用紙をさらに搬送すると、用紙の折れ曲がった部分が剥離部材７２と中間転写ベルト４６との間に入り込んでしまう。ただし、この状態で用紙詰まりが検出されるので、これ以上の用紙の侵入は防止され、用紙が前述した清掃装置５２まで到達することはない。
【００６６】
図９には、剥離装置６８の第二実施形態が示されている。
この第二実施形態においては、第一実施形態と比較して被覆部材７２の図９の時計方向の回転を制限する制限手段１１６を設けた点が異なる。
【００６７】
即ち、制限出段１１６は、被覆部材７２の第三面８１の下部から後側へ突出する制限用突起１１８と、この制限用突起１１８に対応して支持部材８６に形成された制限用軸部１２０とから構成されている。被覆部材７２が時計方向に回転すると、被覆部材７２の制限用突起１１８が支持部材８６の制限用軸部１２０に当たり、被覆部材７２の先端部分の移動が用紙搬送方向に予め定められた距離だけに制限されるようになっている。被覆部材７２の制限用突起１１８が剥離部材７０の後側を覆うようになるので、剥離部材７０の後側から現像剤が飛散するのを防止する。
【００６８】
次に上記第一実施形態に係る剥離装置６８の作用について説明する。
図１０には、仕様外の薄い用紙、例えば坪量が５４ｇ/ｍ2以下の用紙が搬送された場合の用紙の搬送状態が示されている。
【００６９】
まず図１０（ａ）に示すように、第一実施形態と同様に用紙の先端が中間転写ベルト４６に巻き付く。
【００７０】
次に図１０（ｂ）に示すように、用紙の先端が被覆部材７２の折り曲げ部７８の下面に当たり、被覆部材７２を時計方向に回転させるが、制限手段１１６により被覆部材７２の時計方向への回転が制限されているので、用紙は折り曲げられても第一実施形態のように折り曲げられた部分が剥離部材７０と中間転写ベルト４８との間に侵入することなく、定着装置１８側へ搬送される。
【００７１】
ただし、図１０（ｄ）に示すように、用紙の先端は折り曲げられ、主搬送路２２ａから外れるので、用紙の先端が定着装置１８の加圧ロール６２と加熱ロール６４との挟み込み部分へは到達することができず、図１０（ｄ）に示す状態で用紙詰まりが検出され、用紙の搬送が停止する。
【００７２】
この第二実施形態においては、用紙が剥離部材７０と中間転写ベルト４８との間に侵入するのを防止するので、第一実施形態と比較して、用紙を引く抜いて用紙詰まりを解除することが容易である。
【００７３】
ところで、図７（ｃ）に示したように、用紙の後端が被覆部材７２の先端に接触する場合がある。用紙の後端が被覆部材７２に先端に接触すると、用紙後端の現像剤が被覆部材７２に付着することがある。用紙の後端に現像剤が付着すると、次に搬送された用紙に転写されることがある。
【００７４】
このような現象が生じるのを避けたい場合には、図１１に示すように、被覆部材７２を取り外せばよい。
【００７５】
即ち、まず、ばね１００を外す。次に剥離部材７０及び被覆部材７２を支持部材８６から外す。剥離部材７０と被覆部材７２とは、剥離部材７０に形成された支持軸７４が支持部材８６の支持溝部９４に挿入されているだけであるから、剥離部材７０と被覆部材７２とは、支持軸７４を支持溝部９４にスライドさせることにより支持部材８６から外す。次に剥離部材７０と被覆部材７２とを分離する。次に剥離部材７０のみを支持部材８６に装着し、ばね１００を取り付ければ完了する。
【００７６】
図１２には、第三実施形態に係る剥離装置６８が示されている。前述した第一及び第二実施形態においては、剥離部材７０と被覆部材７２とは同じ支持軸７４を介して支持部材８６に支持するようにしたのに対し、この第三実施形態においては、剥離部材７０と被覆部材７２とは、別々に支持部材８６に支持されている。
【００７７】
即ち、剥離部材７０は、支持軸７４を介して支持部材８６に支持されているが、被覆部材７２は、直接支持部材８６に固定されている。被覆部材７２は、支持部材８６と一体に形成してもよい。この第三実施形態においても、剥離部材７０の用紙搬送側は被覆部材７２に覆われ、剥離部材７０の先端から発生した現像剤のクラウドの発散を防止する。
【００７８】
図１３には、第四実施形態に係る剥離装置６８が示されている。この第四実施形態は、被覆部材７２の第一面７６に用紙からの現像剤が付着する量を少なくするようにしている。
【００７９】
被覆部材７２の第一面７６の中央には、用紙搬送方向を長手方向とする突出部１２２が形成されている。この突出部１２２は、図１４（ａ）に示すように、先端が尖っているようにしてもよいし、図１４（ｂ）に示すように、曲線状に形成してもよい。被覆部材７２に当たる用紙は、突出部１２２に点又は線であたり、用紙から被覆部材７２の第一面に付着する現像剤の量を少なくする。
【００８０】
第１４図には、第五実施形態に係る剥離装置６８が示されている。この第五実施形態は、第四実施形態のように突出部１２２を設ける代わりに、逃げ部１２４を設けたものである。
【００８１】
即ち、逃げ部１２４は、被覆部材７２の第一面７６の先端に設けられている。この逃げ部１２２は、弾性又は可撓性を有する材料、例えばＰＥＴ（ポリエチレンテレフタラートの略である）等のプラスチック、ゴム、あるいは０．２５ｍｍ以下の金属等から構成されている。この逃げ部１１４は、用紙の後端が当たると、反用紙搬送側へ逃げ、用紙が当たる圧力を緩和し、用紙から現像剤が被覆部材７２へ付着するのを防止する。
【符号の説明】
【００８２】
１０    画像形成装置
１６    画像形成部
３０    画像形成ユニット
３４    中間転写装置
３８    像保持体
４６    中間転写ベルト
４８    一次転写ロール
５０    二次転写ロール
５４ａ〜５４ｄ    支持ロール（５４ａはバックアップ部材）
６８    剥離装置
７０    剥離部材
７２    被覆部材
７４    支持軸
７６    第一面
７８    折り曲げ部
８０    第二面
８１    第三面
８２    挿入孔
８４    規制部
８６    支持部材
８８    固定部材
９０    剥離装置支持部
９２    挿入溝部
９４    支持溝部
９６    第一ばね受部
９８    第二ばね受部
１００  ばね
１１６  制限手段
１１８  制限用突起
１２０  制限用軸
【図１】
2020154203.tif 000003
【図２】
2020154203.tif 000004
【図３】
2020154203.tif 000005
【図４】
2020154203.tif 000006
【図５】
2020154203.tif 000007
【図６】
2020154203.tif 000008
【図７】
2020154203.tif 000009
【図８】
2020154203.tif 000010
【図９】
2020154203.tif 000011
【図１０】
2020154203.tif 000012
【図１１】
2020154203.tif 000013
【図１２】
2020154203.tif 000014
【図１３】
2020154203.tif 000015
【図１４】
2020154203.tif 000016
【図１５】
2020154203.tif 000017